(57)【特許請求の範囲】
【請求項１】
貯金箱の本体内に設けられ、硬貨を収容する収容室と、前記本体の上面に形成された台座上に設置され、動物の形体を模し、この動物の口から硬貨が投入される装飾体と、前記本体内に設けられ、前記装飾体に所定の動きを与えつつ前記装飾体から前記収容室に硬貨を移動させて収容する駆動手段とを備えた貯金箱であって、
前記駆動手段は、硬貨の投入に応答して前記動物の頭部を下げ、お尻を上げて中腰にし、脚を動かしつつ前記台座を回転させ、
前記動物が１８０°回転したときに前記台座の回転を一時停止させ、前記動物のお尻を下げた後、お尻を上げる動作を行い、お尻から硬貨を落下させて前記収容室に収容し、
その後、前記動物の頭部を下げ、お尻を上げて中腰にして３６０°回転させて初期状態に戻すように駆動することを特徴とする貯金箱。
【請求項２】
貯金箱の本体内に設けられ、硬貨を収容する収容室と、前記本体の上面に形成された台座上に設置され、硬貨が投入される装飾体とを備え、前記装飾体に所定の動きを与えて前記装飾体から前記収容室に硬貨を移動させて収容する貯金箱であって、
前記装飾体内への硬貨の投入を検知する検知手段と、
前記本体内に設けられ、前記検知手段で硬貨の投入を検知したときに、前記装飾体に所定の動きを与えると共に、前記台座を回転させる駆動手段とを具備し、
前記装飾体の動作により、前記装飾体内を介して、投入された硬貨を移動させて前記収容室内に収容するようにしてなり、
前記駆動手段は、前記台座の回転動作、前記装飾体の姿勢を変化させるための駆動動作、前記台座の回転に伴う前記装飾体の揺動、及び前記装飾体における移動形体の模倣動作を行わせるものであることを特徴とする貯金箱。
【請求項３】
前記装飾体は動物の形体であり、
前記検知手段は、前記動物の口への硬貨の投入を検知し、
硬貨を餌の形で動物の口に投入した時に、前記検知手段で硬貨の投入を検知して駆動手段を動作させるものであり、
投入された硬貨を前記動物の体内を介して移動し、前記動物のお尻から前記収容室内に排出して収容するものであることを特徴とする請求項２に記載の貯金箱。
【請求項４】
前記駆動手段は、モータと、このモータに電源を供給する電池と、このモータの回転が伝達され、モータの回転を減速して前記台座を回転駆動する歯車群とを備え、
前記台座の回転駆動は、前記動物の１８０°の回転で一時停止し、３６０°の回転で停止するものであることを特徴とする請求項２または３に記載の貯金箱。
【請求項５】
前記駆動手段は、前記歯車群により駆動されて上下動する駆動軸と、この駆動軸の先端部に設けられたボールジョイントのボール部と、前記動物の腹部に設けられた、前記ボールジョイントの球状軸受部と、一端が前記台座に係止され、他端が前記球状軸受部から離隔した前記動物の腹部に係止された湾曲部材とを更に備え、
前記動物の姿勢の制御は、前記駆動軸の上下動に基づいて、前記動物の頭部を下げ、お尻を上げて中腰にし、前記動物が１８０°回転して一時停止した時に、お尻を下げた後、お尻を上げる動作を行い、その後、前記動物の頭部を下げ、お尻を上げて中腰にして３６０°回転させるものであることを特徴とする請求項４に記載の貯金箱。
【請求項６】
前記本体における前記台座の挿入開口の上面に環状に形成された三角形の突起群と、この突起群の凹凸を拾う伝達部材とを更に備え、
前記動物の揺動は、前記台座の回転によって前記伝達部材から伝達されるものであることを特徴とする請求項３乃至５いずれか１項に記載の貯金箱。
【請求項７】
前記伝達部材で拾った前記突起群の凹凸を後ろ脚に伝える伝達軸を更に備え、
前記動物の移動形体の模倣動作は、前記伝達軸で後ろ足部を前後に駆動するものであることを特徴とする請求項６に記載の貯金箱。
【請求項８】
前記検知手段は、前記動物の口の下顎の下方向への変位を検出するスイッチを含み、このスイッチがオンしたときに前記駆動手段により前記装飾体に所定の動きを与えると共に、前記台座を回転させることを特徴とする請求項２乃至７いずれか１つの項に記載の貯金箱。
【請求項９】
前記湾曲部材に係止され、前記動物の口に入れた硬貨を一時的に滞留させる尻尾を更に備え、前記動物が１８０°回転して一時停止し、お尻を下げた後、お尻を上げる動作を行ったときに、前記尻尾を上げてお尻から硬貨を落下させることを特徴とする請求項５に記載の貯金箱。
【請求項１０】
前記収容室の上面に設けられ、前記装飾体の前方側が軸支され、バネによって付勢されることで閉じた状態を維持する蓋体を更に備え、前記動物のお尻から落下してきた硬貨の重量により前記蓋体が開いて硬貨を収容室に収容することを特徴とする請求項１乃至９いずれか１つの項に記載の貯金箱。
【発明の詳細な説明】
【技術分野】
【０００１】
本発明は、例えば、愛らしい動物の形体とし、その動物に餌を与える形で硬貨を投入すると、コミカルな動きをすることで、おもしろみを持たせることができ、貯金への興味をそそり、楽しみながら貯金できる貯金箱に関するものである。
【背景技術】
【０００２】
従来、貯金の楽しみを増大させるために、各種の貯金箱が販売されている。例えば、建造物、乗り物、動物、人形など、物や生物の形体を模した貯金箱の挿入口へ直接硬貨を投入して収納するものから、動物や人形などの装飾体に動きを与えつつ、様々な仕掛けを作動させて硬貨を収納部に収納するものまで他種多様である。
【０００３】
そして、単純に物や生物の形体を模した貯金箱に比べて、様々な仕掛けを備えたものは興味をそそり、貯金という行為におもしろみを持たせることができる。例えば、特許文献１には、硬貨の載置により人体部の目を左右に動かすと共に、足部の前後移動により硬貨を引っ掛け、硬貨を所定の位置に落下させて、あたかも人が硬貨を拾うときの動作を真似た貯金箱が記載されている。
【０００４】
また、特許文献２には、硬貨を所定箇所に置くと内部機構が作動し、犬が小屋から前半身をのりだして横を向くと共に前足を出し、その前足で硬貨を小屋内にかきいれ前半身を元に戻す一連の動作を行い、硬貨を自動的に収納する貯金箱おもちゃが開示されている。
【０００５】
更に、特許文献３には、硬貨を貯金箱の入口部へ直接投入するのではなく、上記特許文献１及び２と同様に、別途装飾移動体を介し、これを硬貨の自重により動かして収納部に投入するようにした貯金箱が記載されている。
【０００６】
このような貯金箱は、動作が斬新で趣向に富み、目新しいため、貯金への興味をそそり、貯金という行為におもしろみを持たせることができるので、貯金額の増大が期待できる。
【先行技術文献】
【特許文献】
【０００７】
【特許文献１】実用新案登録第２５４０６９７号
【特許文献２】実公昭５５−１５４５２号公報
【特許文献３】実公平６−３６７４６号公報
【発明の概要】
【発明が解決しようとする課題】
【０００８】
しかしながら、上述した特許文献１乃至３に開示されている貯金箱は、硬貨を移動させる人形や動物の動きが少なく且つ比較的単純であり、おもしろみを持たせて貯金者の興味を引く、という点においてはまだ改良の余地がある。
【０００９】
しかも、人形や動物に複雑な動きをさせようとすると、通常は複数の駆動源が必要となり、コストも高くなる。
【００１０】
本発明は、上記のような事情に鑑みてなされたもので、その目的とするところは、動物の形体とし、その動物に餌を与える形で硬貨を投入すると、コミカルな動きをすることで、おもしろみを持たせることができ、貯金への興味をそそり、楽しみながら貯金できる貯金箱を提供することにある。
【００１１】
また、本発明の他の目的は、貯金者の興味を引くような複雑な動作を、一つの駆動源で且つ比較的低コストに実現できる貯金箱を提供することにある。
【課題を解決するための手段】
【００１２】
本発明に係る貯金箱においては、貯金箱の本体内に設けられ、硬貨を収容する収容室と、前記本体の上面に形成された台座上に設置され、動物の形体を模し、この動物の口から硬貨が投入される装飾体と、前記本体内に設けられ、前記装飾体に所定の動きを与えつつ前記装飾体から前記収容室に硬貨を移動させて収容する駆動手段とを備えた貯金箱であって、前記駆動手段は、硬貨の投入に応答して前記動物の頭部を下げ、お尻を上げて中腰にし、脚を動かしつつ前記台座を回転させ、前記動物が１８０°回転したときに前記台座の回転を一時停止させ、前記動物のお尻を下げた後、お尻を上げる動作を行い、お尻から硬貨を落下させて前記収容室に収容し、その後、前記動物の頭部を下げ、お尻を上げて中腰にして３６０°回転させて初期状態に戻すように駆動することで、上述した課題を解決した。
【００１３】
また、本発明に係る貯金箱においては、貯金箱の本体内に設けられ、硬貨を収容する収容室と、前記本体の上面に形成された台座上に設置され、硬貨が投入される装飾体とを備え、前記装飾体に所定の動きを与えて前記装飾体から前記収容室に硬貨を移動させて収容する貯金箱であって、前記装飾体内への硬貨の投入を検知する検知手段と、前記本体内に設けられ、前記検知手段で硬貨の投入を検知したときに、前記装飾体に所定の動きを与えると共に、前記台座を回転させる駆動手段とを具備し、前記装飾体の動作により、前記装飾体内を介して、投入された硬貨を移動させて前記収容室内に収容するようにしてなり、前記駆動手段は、前記台座の回転動作、前記装飾体の姿勢を変化させるための駆動動作、前記台座の回転に伴う前記装飾体の揺動、及び前記装飾体における移動形体の模倣動作を行わせるものであることで、上述した課題を解決した。
【００１４】
更に、前記装飾体は動物の形体であり、前記検知手段は、前記動物の口への硬貨の投入を検知し、硬貨を餌の形で動物の口に投入した時に、前記検知手段で硬貨の投入を検知して前記駆動手段を動作させるものであり、投入された硬貨を前記動物の体内を介して移動し、前記動物のお尻から前記収容室内に排出して収容するものであることで、同じく上述した課題を解決した。
【００１５】
また、前記駆動手段は、モータと、このモータに電源を供給する電池と、このモータの回転が伝達され、モータの回転を減速して前記台座を回転駆動する歯車群とを備え、前記台座の回転駆動は、前記動物の１８０°の回転で一時停止し、３６０°の回転で停止するものであることで、同じく上述した課題を解決した。
【００１６】
加えて、前記駆動手段は、前記歯車群により駆動されて上下動する駆動軸と、この駆動軸の先端部に設けられたボールジョイントのボール部と、前記動物の腹部に設けられた、前記ボールジョイントの球状軸受部と、一端が前記台座に係止され、他端が前記球状軸受部から離隔した前記動物の腹部に係止された湾曲部材とを更に備え、前記動物の姿勢の制御は、前記駆動軸の上下動に基づいて、前記動物の頭部を下げ、お尻を上げて中腰にし、前記動物が１８０°回転して一時停止した時に、お尻を下げた後、お尻を上げる動作を行い、その後、前記動物の頭部を下げ、お尻を上げて中腰にして３６０°回転させるものであることで、同じく上述した課題を解決した。
【００１７】
この他、前記本体における前記台座の挿入開口の上面に環状に形成された三角形の突起群と、この突起群の凹凸を拾う伝達部材とを更に備え、前記動物の揺動は、前記台座の回転によって前記伝達部材から伝達されるものであることで、同じく上述した課題を解決した。
【００１８】
また、前記伝達部材で拾った前記突起群の凹凸を後ろ脚に伝える伝達軸を更に備え、前記動物の移動形体の模倣動作は、前記伝達軸で後ろ足部を前後に駆動するものであることで、同じく上述した課題を解決した。
【００１９】
更に、前記検知手段は、前記動物の口の下顎の下方向への変位を検出するスイッチを含み、このスイッチがオンしたときに前記駆動手段により前記装飾体に所定の動きを与えると共に、前記台座を回転させることで、同じく上述した課題を解決した。
【００２０】
また、前記湾曲部材に係止され、前記動物の口に入れた硬貨を一時的に滞留させる尻尾を更に備え、前記動物が１８０°回転して一時停止し、お尻を下げた後、お尻を上げる動作を行ったときに、前記尻尾を上げてお尻から硬貨を落下させることで、同じく上述した課題を解決した。
【００２１】
加えて、前記収容室の上面に設けられ、前記装飾体の前方側が軸支され、バネによって付勢されることで閉じた状態を維持する蓋体を更に備え、前記動物のお尻から落下してきた硬貨の重量により前記蓋体が開いて硬貨を収容室に収容することで、同じく上述した課題を解決した。
【発明の効果】
【００２２】
本発明に係る貯金箱によれば、動物の形体とし、その動物に餌を与える形で硬貨を投入すると、コミカルな動きをすることで、おもしろみを持たせることができ、貯金への興味をそそり、楽しみながら貯金できる。
【００２３】
また、貯金者の興味を引くような台座の回転動作、装飾体の姿勢を変化させるための駆動動作、台座の回転に伴う装飾体の揺動、及び装飾体における移動形体の模倣動作を、一つの駆動源で且つ比較的低コストに実現できる。
【００２４】
更に、硬貨を餌の形で動物の口に投入した時に検知手段で硬貨の投入を検知して動作を開始し、投入された硬貨を動物のお尻から収容室内に排出して収容することで、おもしろみを持たせることができる。
【００２５】
加えて、駆動手段は、モータ、電池及び減速用の歯車群などの一般的な汎用部材で形成でき、且つ１個のモータで動物の動作を模倣する複雑な動きを実現できるので、低コスト化が図れる。
【００２６】
また、ボールジョイントと湾曲部材を用いた単純な構成でありながら、動物が座った姿勢から中腰、お尻の上下などの姿勢を制御できる。
【００２７】
更に、突起群と伝達部材を用いて、台座の回転を利用して装飾体（動物）を揺動させることができる。
【００２８】
また、突起群の凹凸を後ろ脚に伝える伝達軸を設け、この伝達軸で後ろ足部を前後に駆動することで、台座の回転を利用して動物の移動形体の模倣動作が実現できる。
【００２９】
加えて、検出手段としては、動物の口の下顎の下方向への変位を検出するスイッチを用いることができ、このスイッチがオンしたときに駆動手段で装飾体に所定の動きを与えると共に、台座を回転させることができる。
【００３０】
その他、硬貨の滞留と排出は、動物の尻尾を利用して行うことができる。
【００３１】
また、装飾体の前方側が軸支され、バネによって付勢されることで閉じた状態を維持する蓋体を収容室の上面に設け、この蓋体が硬貨の重量により開き、収容後は閉じることで、動物のお尻から排出された硬貨が収容室に収容される動作を、貯金者が硬貨の動きや音で確認できる。
【図面の簡単な説明】
【００３２】
【図１】本発明の実施形態に係る貯金箱の正面の中心線に沿った側断面図である。
【図２】本発明の実施形態に係る貯金箱の外観斜視図である。
【図３】本発明の実施形態に係る貯金箱の動作について説明するためのもので、硬貨を投入する状態を示す斜視図である。
【図４】本発明の実施形態に係る貯金箱の動作について説明するためのもので、第１の動作を示す斜視図である。
【図５】本発明の実施形態に係る貯金箱の動作について説明するためのもので、第２の動作を示す斜視図である。
【図６】本発明の実施形態に係る貯金箱の動作について説明するためのもので、第３の動作を示す斜視図である。
【図７】本発明の実施形態に係る貯金箱の動作について説明するためのもので、第４の動作を示す斜視図である。
【図８】本発明の実施形態に係る貯金箱の動作について説明するためのもので、第５の動作を示す斜視図である。
【図９】本発明の実施形態に係る貯金箱の動作について説明するためのもので、第６の動作を示す斜視図である。
【図１０】本発明の実施形態に係る貯金箱の動作について説明するためのもので、動作終了時の状態を示す斜視図である。
【図１１】図３乃至図１０に示した、硬貨の投入から動作終了までの一連の動作を実現するための構成について説明するためのもので、内部構造を示すために一部の部品を除去して示す斜視図である。
【図１２】図１１に示した構成において、水平方向に投入した硬貨を垂直方向にする搬送通路部材の拡大斜視図である。
【図１３】図３乃至図１０に示した、硬貨の投入から動作終了までの一連の動作を実現するための構成について説明するためのもので、内部構造を示すために更に一部の部品を除去して示す斜視図である。
【図１４】図１３の一部の部品を除去して示す側面図である。
【図１５】図３乃至図１０に示した、硬貨の投入から動作終了までの一連の動作を実現するための構成について説明するためのもので、内部構造を示すために更に一部の部品を除去して示す斜視図である。
【図１６】図１５の側面図である。
【図１７】犬の胴体の上下動を行うための構造を抽出して示す斜視図である。
【図１８】図１７の正面図である。
【図１９】図１７の側断面図である。
【図２０】犬の後ろ足部の動きについて説明するための分解斜視図である。
【図２１】犬の後ろ足部の動きについて説明するために要部の断面構成を示す斜視図である。
【図２２】犬の後ろ足部の動きについて説明するために要部の断面構成を、動きの方向に応じて示す断面図である。
【発明を実施するための形態】
【００３３】
以下に、本発明を実施するための形態を、図面を参照して説明する。
【００３４】
図１及び図２は、それぞれ本発明の実施形態に係る貯金箱を示しており、図１は正面の中心線に沿った側断面図、図２は外観斜視図である。この貯金箱は、本体である箱体１と、この箱体１の上面に設けられた円形の台座２上に設置された装飾体３とで構成されている。
【００３５】
本例では、上記装飾体３が犬の形体を模しており、犬が座って貯金者に対して餌を要求するポーズを取っている。上記箱体１の前方（犬の頭部側）には硬貨を収容する収容室４が設けられ、後方（犬の尻尾側）には犬に所定の動作をさせるための駆動機構（駆動手段）５が内蔵されている。この駆動機構５には、駆動源としてのモータ６や電池７が含まれている。また、後述するようにスイッチ類、減速用の歯車群、リンク機構、及び配線用のリード線（図示せず）などを備えている。
【００３６】
上記収容室４上に対応する箱体１の上面には、円形の蓋体８が設けられており、上記犬の動作によりこの蓋体８を介して収容室４内に硬貨が投入されて収容されるようになっている。この蓋体８は、前方が軸支され、バネなどで付勢されることにより、通常は水平状態を維持して閉じており、硬貨が落下してきたときの重量により、矢印で示すように後方が押し下げられて硬貨を収容室４内に収容し、収容後には閉じるようになっている。
【００３７】
更に、上記箱体１における底板には、駆動機構５を作動させるためのメインスイッチ９と電池７が設けられている。このメインスイッチ９は、電池７からモータ６へ電源を供給するか否かを決定するもので、貯金箱への硬貨の投入に先立って電源をオンにする。
【００３８】
また、上記箱体１の前方正面には、収容した硬貨を取り出すための扉１０が設けられている。この扉１０には種々の構造を採用でき、必要に応じてロック機構を設けても良い。
【００３９】
上記装飾体３（犬）は、座った姿勢から中腰、お尻を上下する動きをするようになっている。また、下顎３ａと舌３ｂ、尻尾３ｃ、後ろ足部３ｉなどが可動になっており、モータ６の駆動により台座２と共に回転し、且つ後ろ足部３ｉと尻尾３ｃが動作する。更に、前脚３ｈと後ろ脚３ｄは肩部と踵部が球体関節になっており、前脚３ｈの足の裏は台座に固定され、後ろ足部３ｉはフリーになっている。そして、これらの構造の組み合わせで犬の姿勢を変化させ、犬の動作を模倣するようになっている。なお、図１及び図２において、３ｅは頭部、３ｆはお尻、３ｇは胴体である。
【００４０】
図３乃至図１０は、それぞれ本発明の実施形態に係る貯金箱の動作について説明するためのもので、上記犬の動きを示している。図２に示したように、初期状態では犬が座って餌を要求、いわゆる「おねだり」するポーズを取っている。メインスイッチ９をオンにした状態で、図３に示すように餌に見立てた硬貨１１を犬の口に入れると、硬貨１１が犬の胴体３ｇ内に取り込まれ、犬が餌（硬貨１１）を飲み込む動作となる。
【００４１】
この硬貨１１の投入で犬は動作を開始し、頭部３ｅを少し下げ、お尻３ｆを少し上げて中腰になり、図４に示すように台座２が回転を始める。ここでは台座２が反時計回りに回転する例を示しており、台座２の回転に伴って、この台座２上の犬も回転する。この際、犬は後ろ足部３ｉを前後に小刻みに動かし、胴体３ｇを震わせつつ回転する。
【００４２】
そして、図５に示すように半回転（１８０°回転）して後ろ向きになると台座２の回転が一時停止し、図６に示すように頭部３ｅを上げてお尻３ｆを下げ、続いて図７に示すようにお尻３ｆを上げ、図８に示すように尻尾３ｃを上げて硬貨１１をお尻３ｆから振り落とす。振り落とされた硬貨１１は、上記蓋体８の上面に落下し、この硬貨１１の重量により蓋体８の後端部が下がって収容室４内に硬貨１１が収容される。
【００４３】
その後、犬は頭部３ｅを少し下げ、お尻３ｆを上げて中腰になり、図９に示すように再び台座２と共に犬が回転を始め、１回転（３６０°回転）して正面を向くと動作を停止する。この回転期間中も１８０°までの回転と同様に、犬は後ろ足部３ｉを前後に動かし、胴体３ｇを震わせつつ回転する。そして、３６０°回転して正面を向いた時には、図１０に示すように頭部３ｅを上げてお尻３ｆを下げ、犬が座って餌を要求する初期状態のポーズとなる。
【００４４】
次に、上記図３乃至図１０に示したような動作を実現するための駆動機構５の構成について、図１１乃至図２２により詳しく説明する。図１１乃至図２２は、それぞれ上記図３乃至図１０に示した硬貨１１の投入から終了までの一連の模倣動作を実現するための構成例を示している。
【００４５】
図１１は、貯金箱の一部の部品（箱体１、犬の胴体３ｇの右側面など）を除去して内部構造を示す斜視図である。下顎３ａと舌３ｂは、下方向に可動になっており、板バネ１２−１によって少し口を開けた初期状態に復帰するようになっている。また、尻尾３ｃも板バネ１２−２によって上下動可能に構成されており、図３に示したように初期状態では尻尾３ｃが下がった状態になっている。この尻尾３ｃは、犬が１８０°回転してお尻３ｆを振る動作をするまで硬貨１１を犬の胴体３ｇ内に留めておくためのストッパになっている。
【００４６】
犬の口内に水平方向に投入された硬貨１１は、犬の胴体３ｇの内部に収容されている図１２に示すような硬貨の搬送通路部材１３を介してお尻３ｆ付近まで転がって行く。この際、搬送通路部材１３の口内側に設けられている傾斜部１３ａによって、水平方向に投入された硬貨１１が９０°回転し、垂直状態で通路部１３ｂを転がり、尻尾３ｃで硬貨１１が受け止められて、犬のお尻３ｆ付近で停止して滞留する。上記傾斜部１３ａは、複数の板材の端部を扇形にずらして配置しており、口から胴体３ｇの内側に行くにしたがって傾斜が急になるようにすることで、口の中に水平方向に投入された硬貨１１を垂直方向に９０°回転させている。
【００４７】
図１３は、上記図１１に示した斜視図から更に一部の部品（頭部３ｅ及び前脚３ｈ、後ろ脚３ｄなど）を除去して内部構造を示す斜視図である。また、図１４は、図１３に示した斜視図から胴体３ｇを除去して内部構造を示す側面図である。これら図１３及び図１４では、装飾体３としての犬に上述した図４乃至図１０に示したような動作を行わせるための要部を抽出して示している。
【００４８】
台座２の中央部には、ボールジョイント１４のボール部１４ａが突出しており、このボール部１４ａに係合する球状軸受部１４ｂ（図１参照）が犬の胴体３ｇの腹部側に装着されている。このボール部１４ａは、台座２の中央部に設けられている開口２ａに挿通された駆動軸１５の先端部に設けられている。
【００４９】
図１４に示すように、上記収容室４の台座２下には、図４乃至図１０に示したような動作の開始と停止を制御するためのスイッチ１６が設けられている。このスイッチ１６は、台座２上に突出しているレバー１７によってオン／オフされる。下顎３ａまたは舌３ｂの上に硬貨１１を載置する際、貯金者の指により下顎３ａ及び舌３ｂが下方向に押し下げられる。この動きがリンク部材１８、１９に伝達されて、レバー１７が傾倒するとスイッチ１６がオンする。このスイッチ１６のオンによって、モータ６が回動して駆動機構５が動作する。
【００５０】
上記台座２における犬の後ろ脚３ｄ付近には、湾曲部材２０が立設されている。この湾曲部材２０には、外形に対応する湾曲形状の開口部２０ａ、２０ｂがそれぞれ形成されている。上記湾曲部材２０の一端は台座２の上面に係止され、開口部２０ａに尻尾３ｃの基部から延設された部材を軸支するための軸支部材２３が挿通されている。
【００５１】
また、お尻３ｆに軸支部材２４により尻尾３ｃが装着され、この尻尾３ｃは上記湾曲部材２０と連結された状態で保持されている。この尻尾３ｃは板バネ１２−２により下がった状態で付勢され、上記ボールジョイント１４が上方向に押し上げられたときに、湾曲部材２０が後方に倒れ込むことで、上記軸支部材２４を支点にして回動し、尻尾３ｃの先端側が図示矢印方向に駆動される。これによって、搬送通路部材１３の通路部１３ｂの下部に滞留している硬貨１１が排出される。
【００５２】
更に、台座２の後方には、この台座２が１８０°回転したときと、３６０°回転したときに、台座２の停止位置を定めるための係止部材２６が設けられている。この係止部材２６は先端部が楔形の楔形部材２６ｂがコイルバネ２６ａで付勢され、台座２の側面の１８０°と３６０°の位置に設けられた凹部２ｂ、２ｃに係合することで、台座２の停止位置を定めている。
【００５３】
上記ギヤボックス２２には、このギヤボックス２２内の歯車群２７によって回動駆動されるカム３２と、このカム３２によってオン／オフされるスイッチ３３が設けられている。上記スイッチ３３は、動作終了時（３６０°回転時）にモータ６の回転を停止させるもので、カム３２が台座２の回転に伴って回転することで動作開始時にオンし、台座２が３６０°回転するとスイッチ３３の可動接点３３ａがカム３２の凹部に嵌り込むことでオフする。
【００５４】
図１５及び図１６に示すように、駆動軸１５の上下動に対して、湾曲部材２０の一端が台座２に係止されて前方または後方に傾倒する動作を行うことにより、犬の頭部３ｅを下げ、お尻３ｆを上げて中腰にする動作、犬の頭部３ｅを上げ、お尻３ｆを下げて後ろ脚３ｄを縮める動作、お尻３ｆを上げて伸び上がらせる動作などを実現できる。また、湾曲部材２０により尻尾３ｃの先端側が上方向へ駆動される。
【００５５】
図１７乃至図１９はそれぞれ、犬の胴体３ｇの上下動を行うための構造を抽出して示すもので、図１７は斜視図、図１８は正面図、図１９は側断面図である。犬の胴体３ｇは、駆動軸１５によって上下方向に駆動され、上述したように上記湾曲部材２０が前方と後方に傾倒する動作との組み合わせで犬の姿勢を制御する。
【００５６】
図４に示した動作開始時には、駆動軸１５のボールジョイント１４が台座２から下方に引き下げられる。この駆動軸１５の下方向への駆動により、犬の頭部３ｅが下がってお尻３ｆが上がり、中腰の姿勢になる。また、ボールジョイント１４が台座２上に突出する方向に押し上げられると、図６に示したように頭部３ｅを上げてお尻３ｆを下げた姿勢になる。
【００５７】
一方、ボールジョイント１４が更に下方向に押し下げられると、図７に示したようにお尻３ｆを上げた姿勢になる。この時、尻尾３ｃの先端が上がり、図８に示したように硬貨１１がお尻３ｆから落下する。
【００５８】
上記駆動軸１５には、台座２の下面に装着された歯車２９がこの駆動軸１５を回転軸にして設けられている。この歯車２９には、モータ６の回転がギヤボックス２２内に設けられた減速用の歯車群２７によって減速されて歯車２７ａを介して伝達されることで台座２が回動駆動される。
【００５９】
上記歯車２７ａには、台座２の回転を一時停止させるために、１８０°に対応する位置に歯（三角形の突起部分）が形成されていない部分２７ｂが設けられている。そして、歯車２７ａの歯がある部分と歯車２９の歯が噛み合ったときに台座２が回転し、歯が形成されていない部分２７ｂでは歯が噛み合わないため歯車２９（台座２）の回転が停止する。
【００６０】
また、この駆動軸１５は、上記モータ６の回転が歯車群２７によって減速された後、リンク機構２８により回転運動が上下方向の往復運動に変換されて伝達されることで上下動するようになっている。このリンク機構２８は、カムフォロワ２５の外周部に設けられた凹凸に応じて上下動が制御される。すなわち、この凹凸に応じて駆動軸１５が上下動する。
【００６１】
図２０乃至図２２は、それぞれ犬の後ろ足部３ｉを前後に動かす動作を行うための構造を抽出して示すもので、図２０は分解斜視図、図２１は要部の断面構成を示す斜視図、図２２は要部の断面構成を、動きの方向に応じて示す断面図である。図２０に示すように、犬の後ろ足部３ｉは、箱体１における台座２の挿入開口１ａの上面外周部に環状に形成された三角形の突起群１ｂと、この突起群１ｂの凹凸を拾って後ろ足部３ｉに伝達する伝達部材３０とによって駆動される。
【００６２】
上記伝達部材３０は、下面に上記突起群１ｂと係合する三角形の突起部３０ａ、３０ｂを有する基部３０ｃと、この基部３０ｃの上面中央部に立設された円柱状の伝達軸３０ｄとで構成されている。この伝達軸３０ｄは、台座２の後方に形成された開口２ｄに挿通され、犬の左右の後ろ足部３ｉを連結する連結部材３１の中央部に設けられた係止溝３１ａに挿入されて係止される。また、上記台座２の開口２ｄに隣接して設けられた柱状の突起に、上記連結部材３１の係止溝３１ａの前方に隣接して設けられた係止穴が挿通されている。
【００６３】
上記のような構成において、台座２が回転すると、図２１に示すように箱体１の突起群１ｂ上を基部３０ｃの突起部３０ａ、３０ｂが移動することで伝達軸３０ｄが左右方向に揺れ、この揺れが連結部材３１に伝達される。この際、矢印で示す伝達軸３０ｄの左右方向の小刻みな揺動が、上記柱状の突起を支点にした連結部材３１の両端の小刻みな回転方向の揺動となる。これによって、図２２（ａ）、（ｂ）に示すように、後ろ足部３ｉが前後に小刻みに揺れ動き（片足ずつ交互に浮き上がるので上下方向にも動く）、あたかも犬が歩いているように見える。
【００６４】
次に、上述した図１１乃至図２２の構成と、図３乃至図１０の動作との関係について詳しく説明する。初期状態では、図２に示したように犬が座って餌を要求するポーズを取っている。箱体１の底面のメインスイッチ９をオンにし、図３に示したように餌に見立てた硬貨１１を犬の口に入れると、犬が硬貨１１を飲み込む。この硬貨１１は、尻尾３ｃによって犬のお尻３ｆ付近に一時的に滞留している。
【００６５】
この硬貨１１の投入によってレバー１７が傾倒すると、スイッチ１６がオンする。このスイッチ１６のオンによって、駆動軸１５（ボールジョイント１４）が上昇して犬の胴体３ｇ後部が上方に持ち上げられ、犬は頭部３ｅを少し下げ、お尻３ｆを少し上げて中腰の姿勢になり、図４に示したように台座２が回転を始める。この際、図２０に示したように、犬は後ろ足部３ｉを上下に動かし、胴体３ｇを震わせつつ回転する。
【００６６】
図５に示したように、犬が１８０°回転して後ろ向きになると、歯車２７ａの歯が形成されていない部分２７ｂになり歯車２９の歯と噛み合わないので台座２の回転が一時停止し、ボールジョイント１４を更に上方向に駆動して押し上げることにより、図６に示したように頭部３ｅを上げてお尻３ｆを下げる。続いて、図７に示したように、ボールジョイント１４を下方向に押し下げることにより、お尻３ｆを上げ、図８に示すように尻尾３ｃを上げて硬貨１１をお尻３ｆから振り落とす。
【００６７】
このように、フンに見立てた硬貨１１が犬のお尻３ｆからゆっくり出てきて、蓋体８上に落下する。この蓋体８の後部が下がって、硬貨１１が収容室４に収容される。
【００６８】
その後、歯車２７ａが回転して歯がある位置になると歯車２９と噛み合い、図９に示したように再び台座２と共に犬が回転を始め、図１０に示したように３６０°回転して正面を向くとスイッチ３３によりモータ６が停止される。この回転期間中も１８０°までの回転と同様に、犬は後ろ足部３ｉを交互に上下方向に動かし、胴体３ｇを震わせつつ回転する。
【００６９】
このような構成によれば、装飾体３を、愛らしい動物の形体とし、その動物に餌を与える形で硬貨を投入すると、動物がフンをする際の間抜けなポーズの動作を模倣できる。このように、装飾体３がコミカルな動きをすることで、おもしろみを持たせることができ、貯金への興味をそそり、貯金を効果的にできる。また、貯金者に対する癒し効果も期待できる。
【００７０】
しかも、動作を実現するための電気的な部品は、モータ６、電池７、メインスイッチ９、スイッチ１６、３３及びこれらを接続する配線（図示を省略した）のみである。また、１個のモータ６で、台座２の回転動作、装飾体３の姿勢を変化させるための駆動動作、台座２の回転に伴う装飾体３の揺動、及び装飾体３における移動形体の模倣動作を行わせることができる。これらの動作を利用して犬の複雑な動き、例えば、餌を「おねだり」するポーズから、中腰になっての体の回転動作、お尻を上げ下げする動き、後ろ足の動きなどを実現できる。この結果、犬の複雑な動きを一つの駆動源を用いて比較的単純な構成で実現でき、低コスト化が図れる。
【００７１】
従って、貯金者の興味を引くような複雑な動作を、１個のモータ６を駆動源にして比較的低コストで実現できる貯金箱を提供できる。
【００７２】
尚、本発明は上述した実施の形態に限定されるものではなく、要旨を逸脱しない範囲で種々変形して実施することが可能である。
【００７３】
例えば、実施形態では、装飾体３として犬を例に取って説明したが、犬以外の動物でも良いのはもちろんである。また、所望の形象物の形状を模し、硬貨を投入口より投入し、排出口より吐出すれば動物以外の形体模写物にも適用できる。
【００７４】
更に、駆動機構５は上述した実施形態の構造に限られるものではなく、種々の構成を用いることができ、駆動源としてモータ以外のものも適用できる。
【符号の説明】
【００７５】
１    箱体
１ａ    挿入開口
１ｂ    突起群
２    台座
２ａ、２ｄ    開口
２ｂ、２ｃ    凹部
３    装飾体
３ａ    下顎
３ｂ    舌
３ｃ    尻尾
３ｄ    後ろ脚
３ｅ    頭部
３ｆ    お尻
３ｇ    胴体
３ｈ    前脚
３ｉ    後ろ足部
４    収容室
５    駆動機構（駆動手段）
６    モータ
７    電池
８    蓋体
９    メインスイッチ
１０    扉
１１    硬貨
１２−１、１２−２    板バネ
１３    搬送通路部材
１３ａ    傾斜部
１３ｂ    通路部
１４    ボールジョイント
１４ａ    ボール部
１４ｂ    球状軸受部
１５    駆動軸
１６    スイッチ
１７    レバー
１８、１９    リンク部材
２０    湾曲部材
２０ａ、２０ｂ    開口部
２２    ギヤボックス
２３、２４    軸支部材
２５    カムフォロワ
２６    係止部材
２６ａ    コイルバネ
２６ｂ    楔形部材
２７    歯車群
２７ａ    歯車
２７ｂ    歯が形成されていない部分
２８    リンク機構
２９    歯車
３０    伝達部材
３０ａ、３０ｂ    突起部
３０ｃ    基部
３０ｄ    伝達軸
３１    連結部材
３１ａ    係止溝
３２    カム
３３    スイッチ
３３ａ    可動接点
【図１】
0005479535.tif 000002
【図２】
0005479535.tif 000003
【図３】
0005479535.tif 000004
【図４】
0005479535.tif 000005
【図５】
0005479535.tif 000006
【図６】
0005479535.tif 000007
【図７】
0005479535.tif 000008
【図８】
0005479535.tif 000009
【図９】
0005479535.tif 000010
【図１０】
0005479535.tif 000011
【図１１】
0005479535.tif 000012
【図１２】
0005479535.tif 000013
【図１３】
0005479535.tif 000014
【図１４】
0005479535.tif 000015
【図１５】
0005479535.tif 000016
【図１６】
0005479535.tif 000017
【図１７】
0005479535.tif 000018
【図１８】
0005479535.tif 000019
【図１９】
0005479535.tif 000020
【図２０】
0005479535.tif 000021
【図２１】
0005479535.tif 000022
【図２２】
0005479535.tif 000023